(57)【要約】      （修正有）【課題】地図スクロール操作後に表示される地図上のランドマークといった情報の視認性を向上させ、ユーザへの操作負担をかけることがない地図表示装置、地図表示装置の表示方法を提供する。【解決手段】地図のスクロール表示が可能な地図表示装置および地図表示装置の表示方法であり、ユーザが行う地図スクロール操作中断直後に地図スクロール中断位置の地図画像を表示すると共に所定時間経過するまでは補助情報を非表示とし、所定時間経過後に補助情報を表示する。【選択図】図１
2009163055.tif 000002
【特許請求の範囲】
【請求項１】
地図に重畳して補助情報を表示すると共に、地図のスクロール表示が可能な地図表示装置において、
地図データを記憶する地図データ記憶部と、
前記地図データ記憶部から地図データを読み出す地図データ読み出し部と、
前記地図データ読み出し部により読み出した地図データに基づいた地図を表示する表示部と、
地図スクロールを指示する地図スクロール操作部と、
前記地図スクロール操作部への地図スクロール指示操作が終了してから所定の操作が行われるまでは前記補助情報を非表示とし、前記所定の操作が行われたらスクロール後の地図に前記補助情報を重畳して前記表示部に表示させるように制御する制御部と、
を備えたことを特徴とする地図表示装置。
【請求項２】
計時部を更に備え、
前記制御部は、前記計時部の計時結果に基づいて、前記地図スクロール指示操作が終了してから所定時間が経過するかまたは前記所定操作が行われるまで、前記補助情報を非表示とし、前記所定時間が経過後または所定の操作が行われた場合、スクロール後の地図に前記補助情報を重畳して前記表示部に表示させるように制御することを特徴とする請求項１記載の地図表示装置。
【請求項３】
前記制御部は更に、地図スクロール操作中は前記補助情報を非表示とすることを特徴とする請求項１または請求項２に記載の地図表示装置。
【請求項４】
前記制御部は更に、地図スクロール操作中は前記地図データの内、細街路を非表示とすることを特徴とする請求項１から３のいずれか一項に記載の地図表示装置。
【請求項５】
前記補助情報は、地図方位情報、縮尺情報、メニュー情報の少なくとも一つであることを特徴とする請求項１から４のいずれか一項に記載の地図表示装置。
【請求項６】
地図に重畳して補助情報を表示すると共に、地図のスクロール表示が可能な地図表示装置の地図表示方法において、
地図スクロール指示操作が行われている際は地図スクロールを行うステップと、
前記地図スクロール操作が終了してから所定の操作が行われるまで前記補助情報を非表示とするステップと、
前記所定の操作が行われた場合、スクロール後の地図に前記補助情報を重畳して表示部に表示するステップと、
を備えたことを特徴とする地図表示方法。
【請求項７】
更に計時するステップを備え、
計時結果に基づいて、前記地図スクロール指示操作が終了してから所定時間が経過するかまたは前記所定の操作が行われるまで、前記補助情報を非表示にするステップと、
前記所定時間経過後または所定の操作が行われたら地図スクロール後の地図に前記補助情報を重畳して前記表示部に表示させるステップと、
を備えたことを特徴とする請求項６記載の地図表示方法。
【請求項８】
更に前記地図スクロール中は前記補助情報を非表示とするステップを備えたことを特徴とする請求項６または請求項７記載の地図表示方法。
【請求項９】
更に前記地図スクロール中は表示する地図データの内、細街路を非表示とするステップを備えたことを特徴とする請求項６から８のいずれか一項に記載の地図表示方法。
【発明の詳細な説明】
【技術分野】
【０００１】
本発明は、車両等に搭載する地図表示装置に関し、特に、地図のスクロール表示が可能な地図表示装置に関する。
【背景技術】
【０００２】
車両に搭載されるナビゲーション装置に代表される地図表示装置は地図スクロール機能を有しており、目的地、経由地を設定する場合や、目的地周辺、経由地周辺、誘導経路周辺などのランドマーク情報を得たい場合に、ユーザがスクロール操作を行うことにより離れた場所の地図を画面上に表示させて情報を得ることができる。
図６は従来のナビゲーション装置における地図スクロール表示を説明する図である。通常、地図表示画面では、図６（ａ）に示すように、地図画像２、現在位置を示すマーク３、誘導経路１、ランドマークＬＭ等と共に、補助情報４（方位情報４ａ、縮尺情報４ｂ、メニュー４ｃ）を表示している。この状態において、ユーザがタッチパネルやリモコン（リモートコントローラ）の方向キーによりスクロール操作を行った場合、図６（ｂ）に示すように、縮尺情報４ｂおよびメニュー４ｃを非表示とすると共にスクロール方向補助表示４ｄを表示している。ユーザがスクロール操作を継続している間は地図のスクロールが図６（ｂ）に示す状態で継続される。ユーザがスクロール操作を中断すると、図６（ｃ）に示すように地図スクロール補助表示４ｄが表示され、その後、ユーザからのスクロール指示操作がないまま所定時間（例えば２秒）が経過すると、図６（ｄ）に示すように地図スクロール補助表示４ｄが非表示とされた通常の地図表示画面に戻る。また、地図スクロール操作中は、細街路を非表示にするものもある。
【０００３】
また、先行技術文献として、ＴＶ映像等を表示する映像表示領域と地図を表示する地図表示領域とに分割し、さらにＴＶ映像等と地図とを表示する表示面上にはタッチパネルを備えた表示部があり、そのタッチパネルの地図表示領域においてスクロール操作が行われた場合、映像表示領域を縮小もしくは非表示にすると同時に地図表示領域を拡大もしくは全画面表示するものがある（特許文献１参照）。
【特許文献１】特開２００６−８４２７１号公報
【発明の開示】
【発明が解決しようとする課題】
【０００４】
上記背景技術では、図６（ａ）のように通常の地図表示を行っている状態でユーザが地図スクロール操作を開始すると、図６（ｂ）の画面に変化し、スクロール操作中断時には図６（ｃ）のようにスクロール後の地図と共に地図に重畳して補助情報を表示していた。しかし、このように地図スクロール操作中断直後に補助情報が表示されると、地図上の情報、例えばランドマークＬＭｂ、ＬＭｃが縮尺情報４ｂやメニュー４ｃといった補助情報に隠れてしまうことがある。このような場合、ユーザがスクロール操作を中断したときに知りたい情報を得ることができず、知りたい情報を得ることができる位置、即ち、ランドマーク情報が補助情報に隠れない位置まで地図のスクロール操作を繰り返し行わなければならず、ユーザの操作負担が大きくなるという問題があった。
【０００５】
そこで本発明では、地図のスクロール表示が可能な地図表示装置において、地図スクロール操作後に表示される地図上のランドマークといった情報の視認性を向上させ、ユーザへの操作負担をかけることがない地図表示装置を提供することを目的とする。
【課題を解決するための手段】
【０００６】
本発明は地図スクロール表示が可能な地図表示装置である。
上記課題は本発明によると、地図データを記憶する地図データ記憶部と、前記地図データ記憶部から地図データを読み出す地図データ読み出し部と、前記地図データ読み出し部により読み出した地図データに基づいた地図を表示する表示部と、地図スクロールを指示する地図スクロール操作部と、前記地図スクロール操作部への地図スクロール指示操作が終了してから所定の操作が行われるまでは前記補助情報を非表示とし、前記所定の操作が行われたらスクロール後の地図に前記補助情報を重畳して前記表示部に表示させるように制御する制御部と、を備えたことによって達成することができる。
【０００７】
また、上記課題は本発明によると、計時部を更に備え、前記制御部は、前記計時部の計時結果に基づいて、前記地図スクロール指示操作が終了してから所定時間が経過するかまたは前記所定操作が行われるまで、前記補助情報を非表示とし、前記所定時間が経過後または所定の操作が行われた場合、スクロール後の地図に前記補助情報を重畳して前記表示部に表示させるように制御することによって達成することができる。
【０００８】
また、上記課題は本発明によると、地図スクロール指示操作が行われている際は地図スクロールを行うステップと、前記地図スクロール操作が終了してから所定の操作が行われるまで前記補助情報を非表示とするステップと、前記所定の操作が行われた場合、スクロール後の地図に前記補助情報を重畳して表示部に表示するステップと、を備えたことによって達成することができる。
【０００９】
また、上記課題は本発明によると、更に計時するステップを備え、計時結果に基づいて、前記地図スクロール指示操作が終了してから所定時間が経過するかまたは前記所定の操作が行われるまで、前記補助情報を非表示にするステップと、前記所定時間経過後または所定の操作が行われたら地図スクロール後の地図に前記補助情報を重畳して前記表示部に表示させるステップと、を備えたことによって達成することができる。
【発明の効果】
【００１０】
地図スクロール直後に補助情報が表示されてしまい、地図スクロール後の地図の視認性が悪くなっていたが、本発明により地図スクロール後の地図の視認性が向上する、といった効果が得られる。
【発明を実施するための最良の形態】
【００１１】
（Ａ）本発明の概略
本発明の概略について図を用いて説明する。
図１は本発明の概略を説明する図である。図１（ａ）に示すようにナビゲーション装置は通常、誘導経路１、地図画像２、現在位置を示すマーク３、ランドマークＬＭ等と共に、補助情報４（方位情報４ａ、縮尺情報４ｂ、メニュー４ｃ）を表示している。図１（ａ）に示す通常の地図表示をしている状態において、ユーザからタッチパネルやリモコンの方向キーによるスクロール操作が行われた場合、図１（ｂ）に示すように縮尺情報４ｂおよびメニュー４ｃを非表示とすると共にスクロール方向補助表示４ｄを表示する。ユーザがスクロール操作を継続している間は地図のスクロール表示が継続される。ユーザからのスクロール操作が中断されると、図１（ｃ）に示すように、スクロール中断位置の地図画像２を表示すると共に、スクロール操作中に表示していた方位情報４ａおよびスクロール方向補助表示４ｄを非表示とする。図１（ｃ）に示す表示状態で、所定時間、例えば２秒経過後には図１（ｄ）に示すように、補助情報４（方位情報４ａ、縮尺情報４ｂ、メニュー４ｃ、スクロール方向補助表示４ｄ）を表示する。さらに、図１（ｄ）の表示状態から、所定時間、例えば２秒経過後、もしくは所定操作、例えば操作部２回連続タッチ後には、図１（ｅ）に示すように地図スクロール補助表示４ｄが非表示とされた通常の地図表示画面に戻る。
以上より、地図スクロール直後の補助情報の表示による地図の視認性の低下を解消することができる。
【００１２】
（Ｂ）詳細な説明
（ａ）地図表示装置の構成
図２は本発明の地図表示装置の構成図である。記録媒体１１は地図データを記憶しており、記録媒体１１に記憶されている地図データを記録媒体読出部１２が読み出し、読み出した地図データを地図情報メモリ１３に入力する。位置測定装置１４は図示しない自律航法センサおよびＧＰＳ受信機を備えており現在位置を測定する。地図情報メモリ１３は位置測定装置１４により測定された現在位置に基づいて記録媒体１１から読み出した位置周辺やユーザから指示操作されるスクロール中の地図の移動に伴い表示する地図の情報を記憶する。制御部１５は地図表示装置全体を制御すると共に、後述する本発明における補助情報非表示制御や、また補助情報表示制御や、スクロール中の細街路非表示制御や、またスクロール中断直後の細街路表示制御を行っている。
【００１３】
ＲＯＭ１６は各種ソフトウェアを記憶するものであり、（１）誘導経路探索用ソフトウェア、（２）経路誘導ソフトウェア等さまざまな制御プログラムが記憶されている。ＲＡＭ１７は誘導経路データや各種処理結果を一時的に記憶する。誘導経路発生部１８は探索された誘導経路を発生する。ディスプレイコントローラ１９は地図・誘導経路等の画像を発生し、ＶＲＡＭ２０はディスプレイコントローラ１９が発生した画像を記憶する。メニュー発生部２１はメニュー画像を発生する。画像合成部２２は各画像を合成して出力する。タッチパネル式ディスプレイ装置２３は画像合成部２２から出力される画像を表示するものであり、液晶などのディスプレイ画面（モニタ）２３ａとディスプレイ画面上に装備された透明タッチパネル２３ｂを備えている。
【００１４】
スクロール操作部として、タッチパネル式ディスプレイ装置２３とリモコン２４とを備えている。タッチパネルインターフェース２５を介してタッチパネル式ディスプレイ装置２３へのユーザの地図のスクロール操作が行われたことを制御部１５に入力し、制御部１５は制御を行う。また、リモコンインターフェース２６を介して、リモコン２４を使用することによっても同様に地図のスクロール操作を行うことができる。タイマカウンタ２７は様々な時間を測定する計時部で、例えば、スクロール操作が行われている時間や、またはスクロール操作が終了してからの時間などを測定するものである。
【００１５】
（ｂ）実施例１
実施例１は、ユーザがスクロール操作を中断してから所定時間、例えば２秒経過するまでは補助情報を非表示とする例である。
【００１６】
図３は本発明の実施例１における地図スクロール表示動作を示すフローチャートである。以下、このフローチャートに沿って説明を行う。
通常、ナビゲーション装置の地図表示画面は図１（ａ）のように表示され、１は誘導経路、２は地図画像、３は現在位置を示すマーク、４ａは方位情報、４ｂは縮尺情報、４ｃはメニュー、ＬＭは施設などのランドマークを表している。図１（ａ）のように、ナビゲーション装置が通常の経路案内を行うために地図画像２が表示されている状態において、制御部１５はユーザからのタッチパネル式ディスプレイ装置２３もしくはリモコン２４の方向キーによるスクロール操作が行われたかの監視を行う（ステップ１０１）。
【００１７】
ステップ１０１においてユーザからのタッチパネル式ディスプレイ装置２３もしくはリモコン２４の方向キーによるスクロール操作が行われると、制御部１５は図１（ｂ）に示すように縮尺情報４ｂおよびメニュー４ｃを非表示とすると共にスクロール方向補助表示４ｄを表示するスクロール表示となるようにディスプレイコントローラ１９を制御する（ステップ１０２）。
その後、制御部１５はユーザからのタッチパネル式ディスプレイ装置２３もしくはリモコン２４の方向キーにより行われているスクロール操作に応じた地図スクロールを継続する（ステップ１０３）。
【００１８】
そして、制御部１５はユーザからのタッチパネル式ディスプレイ装置２３もしくはリモコン２４の方向キーによるスクロール操作が継続されているかの監視を行い（ステップ１０４）、ユーザからのタッチパネル式ディスプレイ装置２３もしくはリモコン２４の方向キーによるスクロール操作が継続されているとステップ１０３に戻り、ユーザからのタッチパネル式ディスプレイ装置２３もしくはリモコン２４の方向キーによるスクロール操作が継続されていなければステップ１０５へと進む。
ステップ１０４において、ユーザからのタッチパネル式ディスプレイ装置２３もしくはリモコン２４の方向キーによるスクロール操作が継続されていない場合、すなわちユーザによるスクロール操作が行われていない場合、ステップ１０５において制御部１５は図１（ｃ）に示すようにスクロール操作中断位置の地図画像を表示すると共に方位情報４ａおよびスクロール方向補助表示４ｄを非表示とするようにディスプレイコントローラ１９を制御する（ステップ１０５）。
【００１９】
そして、制御部１５はスクロール操作中断位置の地図画像をモニタ２３ａに表示すると共に方位情報４ａおよびスクロール方向補助表示４ｄを非表示としてからの時間（タイマカウンタ２７により測定）が所定時間、例えば２秒経過したかの監視を行う（ステップ１０６）。
ステップ１０６において、スクロール操作中断位置の地図画像をモニタ２３ａに表示すると共に方位情報４ａおよびスクロール方向補助表示４ｄを非表示としてからの時間（タイマカウンタ２７により測定）が所定時間経過した場合、制御部１５は図１（ｄ）に示すようにスクロール操作中断位置の地図画像に方位情報４ａ、縮尺情報４ｂ、メニュー４ｃ、およびスクロール方向補助表示４ｄを重畳してモニタ２３ａに表示するようディスプレイコントローラ１９を制御する（ステップ１０７）。
【００２０】
次に、制御部１５は図１（ｄ）のように補助情報が表示された状態においてユーザからのタッチパネル式ディスプレイ装置２３もしくはリモコン２４の方向キーによるスクロール操作が行われたかの監視を行い（ステップ１０８）、ユーザからのタッチパネル式ディスプレイ装置２３もしくはリモコン２４の方向キーによるスクロール操作が行われていなければステップ１０９へ進み、ユーザからのタッチパネル式ディスプレイ装置２３もしくはリモコン２４の方向キーによるスクロール操作が行われていればステップ１０３に戻る。
そして、制御部１５はモニタ２３ａが図１（ｃ）の状態から図１（ｄ）の状態に変化してからの時間（タイマカウンタ２７により測定）が所定時間、例えば２秒経過したか、もしくは所定の操作、例えばタッチパネル式ディスプレイ装置２３の２回連続タッチが行われたかの監視を行う（ステップ１０９）。
【００２１】
ステップ１０９において、モニタ２３ａの表示画面が図１（ｃ）の状態から図１（ｄ）の状態に変化してからの時間（タイマカウンタ２７により測定）が所定時間経過した場合、もしくは所定の操作が行われた場合、制御部１５は図１（ｅ）に示すようスクロール方向補助表示４ｄが非表示とされた通常の地図表示画面に戻すようにディスプレイコントローラ１９を制御する（ステップ１１０）。
【００２２】
以上のように、実施例１においてはユーザによるスクロール操作が中断された直後は図１（ｃ）に示すように、補助情報を非表示とした地図画像を表示するようにしたので、地図上の情報の視認性を良くすることができる。
【００２３】
（ｃ）実施例２
実施例２は、ユーザが地図のスクロール操作を行っている間は縮尺情報、およびメニューといったスクロールに関しない補助情報およびに細街路を非表示とし、スクロール操作中断後に細街路を表示してから所定時間、例えば２秒経過するまでは補助情報を非表示とする例である。
【００２４】
図４は実施例２における地図スクロール表示動作を示すフローチャートである。以下、このフローチャートに沿って説明を行う。
通常、ナビゲーション装置の地図表示画面は図５（ａ）のように表示され、１は誘導経路、２は地図画像、３は現在位置を示すマーク、４ａは方位情報、４ｂは縮尺情報、４ｃはメニュー、５は細街路、ＬＭは施設などのランドマークを表している。図５（ａ）のように、ナビゲーション装置が通常の経路案内を行うために地図画像２が表示されている状態において、制御部１５はユーザからのタッチパネル式ディスプレイ装置２３もしくはリモコン２４の方向キーによるスクロール操作が行われたかの監視を行う（ステップ２０１）。
【００２５】
ステップ２０１においてユーザからのタッチパネル式ディスプレイ装置２３もしくはリモコン２４の方向キーによるスクロール操作が行われると、制御部１５は図５（ｂ）に示すように縮尺情報４ｂおよびメニュー４ｃを非表示とすると共にスクロール方向補助表示４ｄを表示するスクロール表示となるようにディスプレイコントローラ１９を制御する（ステップ２０２）。
その後、制御部１５はユーザからのタッチパネル式ディスプレイ装置２３もしくはリモコン２４の方向キーによるスクロール操作に応じた地図スクロールを継続すると共に地図画像２に表示されている細街路５を非表示にするようディスプレイコントローラ１９を制御する（ステップ２０３）。
【００２６】
そして、制御部１５はユーザからのタッチパネル式ディスプレイ装置２３もしくはリモコン２４の方向キーによるスクロール操作が行われているかの監視を行い（ステップ２０４）、ユーザからのタッチパネル式ディスプレイ２３もしくはリモコン２４の方向キーによるスクロール操作が継続されていると、ステップ２０３に戻り、ユーザからのタッチパネル式ディスプレイ装置２３もしくはリモコン２４の方向キーによるスクロール操作が継続されていなければステップ２０５へと進む。
ステップ２０４において、ユーザからのタッチパネル式ディスプレイ装置２３もしくはリモコン２４の方向キーによるスクロール操作が継続されていなければ、すなわちユーザによるスクロール指示操作が行われていなければ、制御部１５は図５（ｃ）のようにスクロール操作中断位置の細街路５を非表示としている地図画像をモニタ２３ａに表示すると共に方位情報４ａおよびスクロール方向補助表示４ｄを非表示にするようにディスプレイコントローラ１９を制御する（ステップ２０５）。
【００２７】
次に、制御部１５は図５（ｃ）のように方位情報４ａおよびスクロール方向補助表示４ｄを非表示としてからの時間（タイマカウンタ２７により測定）が所定時間、例えば２秒経過したかの監視を行う（ステップ２０６）。
そして、ステップ２０６において、スクロール操作中断位置の細街路５を非表示としている地図画像をモニタ２３ａに表示すると共に方位情報４ａおよびスクロール方向補助表示４ｄを非表示としてからの時間（タイマカウンタ２７により測定）が所定時間経過した場合、制御部１５は図５（ｄ）に示すように方位情報４ａおよびスクロール方向補助表示４ｄを非表示としているスクロール操作中断位置の細街路５を非表示としている地図画像に非表示としていた細街路５を表示するようにディスプレイコントローラ１９を制御する（ステップ２０７）。
【００２８】
その後、制御部１５はモニタ２３ａの表示画面が図５（ｃ）の状態から図５（ｄ）の状態に変化してからの時間（タイマカウンタ２７により測定）が所定時間、例えば２秒経過したかの監視を行う（ステップ２０８）。
ステップ２０８において、モニタ２３ａの表示画面が図５（ｃ）の状態から図５（ｄ）の状態に変化してからの時間（タイマカウンタ２７により測定）が所定時間経過した場合、制御部１５は図５（ｅ）に示すようにモニタ２３ａに表示されたスクロール操作中断位置の細街路５が表示されている地図画像に方位情報４ａ、縮尺情報４ｂ、メニュー４ｃ、スクロール方向補助表示４ｄを重畳して表示するようにディスプレイコントローラ１９を制御する（ステップ２０９）。
【００２９】
次に、制御部１５は図５（ｅ）のように補助情報が表示された状態においてユーザからのタッチパネル式ディスプレイ装置２３もしくはリモコン２４の方向キーによるスクロール操作が行われたかの監視を行い（ステップ２１０）、ユーザからのタッチパネル式ディスプレイ装置２３もしくはリモコン２４の方向キーによるスクロール操作が行われていなければステップ２１１へ進み、ユーザからのタッチパネル式ディスプレイ装置２３もしくはリモコン２４の方向キーによるスクロール操作が行われていれば、ステップ２０３に戻る。
【００３０】
そして、制御部１５はモニタ２３ａの表示画面が図５（ｄ）の状態から図５（ｅ）の状態に変化してからの時間（タイマカウンタ２７により測定）が所定時間、例えば２秒経過した場合、もしくは所定の操作、例えばタッチパネル式ディスプレイ装置２３の２回連続タッチが行われたかの監視を行う（ステップ２１１）。
ステップ２１１において、モニタ２３ａが図５（ｄ）の状態から図５（ｅ）の状態に変化してからの時間（タイマカウンタ２７により測定）が所定時間経過した場合、もしくは所定の操作が行われた場合、制御部１５は図５（ｆ）に示すようにスクロール方向補助表示４ｄが非表示とされた通常の地図表示画面に戻すようにディスプレイコントローラ１９を制御する（ステップ２１２）。
【００３１】
以上のように、実施例２においてはユーザによるスクロール操作が行われている間は細街路を非表示とし、スクロール操作が中断後、細街路が表示されて所定時間経過するまで補助表示を非表示とした地図画像を表示するようにしたので、地図上の情報の視認性を良くすることができる。
【００３２】
以上の本発明の実施例によれば、従来のように地図スクロール操作終了直後に地図スクロール後の地図を表示すると共に補助情報表示が行われ、地図スクロール後の地図の視認性が悪くなることはなく、地図スクロール後の地図の視認性を良くすることができる。
【図面の簡単な説明】
【００３３】
【図１】本発明の概略説明図である。
【図２】本発明の地図表示装置の構成図である。
【図３】実施例１のフローチャートである。
【図４】実施例２のフローチャートである。
【図５】本発明の実施例２の説明図である。
【図６】従来技術の説明図である。
【符号の説明】
【００３４】
１  誘導経路
２  地図画像
３  現在位置
４ａ  地図方位情報
４ｂ  縮尺情報
４ｃ  メニュー情報
４ｄ  地図スクロール補助表示
５  細街路
LM  ランドマーク
LMｂ  Bを示すランドマーク
LMｃ  Cを示すランドマーク
１１  記録媒体
１２  記録媒体読出部
１３  地図情報メモリ
１４  位置測定装置
１５  制御部
１６  ＲＯＭ
１７  ＲＡＭ
１８  誘導経路発生部
１９  ディスプレイコントローラ
２０  ＶＲＡＭ
２１  メニュー発生部
２２  画像合成部
２３  タッチパネル式ディスプレイ装置
２３ａ  モニタ
２３ｂ  タッチパネル
２４  リモコン
２５  タッチパネルインターフェース
２６  リモコンインターフェース
２７  タイマカウンタ
【図１】
2009163055.tif 000003
【図２】
2009163055.tif 000004
【図３】
2009163055.tif 000005
【図４】
2009163055.tif 000006
【図５】
2009163055.tif 000007
【図６】
2009163055.tif 000008